(57)【特許請求の範囲】
【請求項１】
所有者によって所持される携帯機と、建物用ドアまたはそのドアの近辺に配設された送受信装置とを備えるとともに、前記携帯機は、前記送受信装置から出力されるリクエスト信号の受信時に、所定の送信信号を自動送信する送信手段を備え、前記送受信装置は、前記リクエスト信号を前記ドア周辺の所定領域に出力するリクエスト信号出力手段と、前記携帯機からの送信信号を受信する受信手段と、前記送信信号に含まれるＩＤコードと、予め設定されたＩＤコードとを比較し、それらＩＤコード同士が一致したときにドア錠を解錠するドアロック制御手段とを備えた建物用ドア錠の遠隔操作装置であって、
前記送受信装置は、該送受信装置と同等の構成をなす車両用送受信装置と相互通信可能な車両用携帯機との相互通信によっても前記ドア錠の解錠を可能に構成されるとともに、
前記建物用ドアの屋内側面または屋内側におけるドアの近辺には、前記車両用携帯機による建物用ドア錠の施解錠を可能とするか否かを選択可能な選択手段が設けられ、
前記送受信装置は、前記携帯機との相互通信の成立時にあっては、前記選択手段の選択状態にかかわらず前記ドア錠を解錠することを特徴とする建物用ドア錠の遠隔操作装置。
【請求項２】
前記ドアロック制御手段は、前記ドア錠を解錠した後、前記受信手段によって前記携帯機からの送信信号を受信できなくなったときに前記ドア錠を施錠することを特徴とする請求項１に記載の建物用ドア錠の遠隔操作装置。
【請求項３】
前記リクエスト信号出力手段は、予め設定された周期で間欠的に前記リクエスト信号を自動的に出力することを特徴とする請求項１または請求項２に記載の建物用ドア錠の遠隔操作装置。
【請求項４】
前記建物用ドアの屋内側面または屋内側におけるドアの近辺には、前記携帯機から出力される送信信号に含まれるＩＤコードを、建物用ドア錠の施解錠を可能とするものとして登録可能な登録手段が設けられていることを特徴とする請求項１〜３のいずれか１項に記載の建物用ドア錠の遠隔操作装置。
【発明の詳細な説明】
【０００１】
【発明の属する技術分野】
本発明は、建物用ドア錠の遠隔操作装置に関し、例えば住宅のドア錠の自動解錠を行う装置に関するものである。
【０００２】
【従来の技術】
一般に、住宅等の建物のドア錠は、ドアに設けられた鍵穴に機械的なキーを挿入して回動することにより、施錠・解錠されるようになっている。
【０００３】
しかし、近年、セキュリティの向上を目的として、ＩＤコードを用いた電子キーシステムが用いられている。この電子キーシステムは、所定のＩＤコードが記録された電子キーと、そのＩＤコードを読み取るための電子錠とから構成されている。こうした電子キーシステムとして、電子錠に設けられたカードリーダに電子キーを接触させることによって、電子錠にＩＤコードを読み込ませるものがある。また、電子キーに設けられた送信ボタンを押すことによって、ＩＤコードを含む無線信号を電子キーから電子錠に送信させて、電子錠にＩＤコードを読み込ませるものもある。いずれのタイプも、電子錠は、読み取ったＩＤコードと、予め設定されたＩＤコードとを比較し、それらＩＤコード同士が一致したときにドア錠を解錠するようになっている。
【０００４】
【発明が解決しようとする課題】
しかしながら、これらいずれの電子キーシステムにおいても、電子キーによって解錠を行うためには、電子キーを手にとって操作を行う必要があった。このため、特に家人が荷物などを持っていて手が塞がっている場合などには、解錠操作が煩雑であった。
【０００５】
また、車両を所有する家人においては、建物用の電子キーと車両用のキーとをそれぞれ所持する必要があり、煩わしかった。
本発明はこうした実情に鑑みてなされたものであり、その目的は、セキュリティを向上させるとともに、煩雑な操作を行うことなくドア錠を施解錠することができる建物用ドア錠の遠隔操作装置を提供することにある。
【０００６】
また、本発明の別の目的は、一つのキーによって建物用のドア錠と車両用のドア錠とを共に施解錠することができるドア錠の遠隔操作装置を提供することにある。
【０００７】
【課題を解決するための手段】
上記の課題を解決するために、請求項１に記載の発明では、所有者によって所持される携帯機と、建物用ドアまたはそのドアの近辺に配設された送受信装置とを備えるとともに、前記携帯機は、前記送受信装置から出力されるリクエスト信号の受信時に、所定の送信信号を自動送信する送信手段を備え、前記送受信装置は、前記リクエスト信号を前記ドア周辺の所定領域に出力するリクエスト信号出力手段と、前記携帯機からの送信信号を受信する受信手段と、前記送信信号に含まれるＩＤコードと、予め設定されたＩＤコードとを比較し、それらＩＤコード同士が一致したときにドア錠を解錠するドアロック制御手段とを備えた建物用ドア錠の遠隔操作装置であって、前記送受信装置は、該送受信装置と同等の構成をなす車両用送受信装置と相互通信可能な車両用携帯機との相互通信によっても前記ドア錠の解錠を可能に構成されるとともに、前記建物用ドアの屋内側面または屋内側におけるドアの近辺には、前記車両用携帯機による建物用ドア錠の施解錠を可能とするか否かを選択可能な選択手段が設けられ、前記送受信装置は、前記携帯機との相互通信の成立時にあっては、前記選択手段の選択状態にかかわらず前記ドア錠を解錠することを要旨とする。
【０００８】
請求項２に記載の発明では、請求項１に記載の建物用ドア錠の遠隔操作装置において、前記ドアロック制御手段は、前記ドア錠を解錠した後、前記受信手段によって前記携帯機からの送信信号を受信できなくなったときに前記ドア錠を施錠することを要旨とする。
【０００９】
請求項３に記載の発明では、請求項１または請求項２に記載の建物用ドア錠の遠隔操作装置において、前記リクエスト信号出力手段は、予め設定された周期で間欠的に前記リクエスト信号を自動的に出力することを要旨とする。
【００１０】
請求項４に記載の発明では、請求項１〜３のいずれか１項に記載の建物用ドア錠の遠隔操作装置において、前記建物用ドアの屋内側面または屋内側におけるドアの近辺には、前記携帯機から出力される送信信号に含まれるＩＤコードを、建物用ドア錠の施解錠を可能とするものとして登録可能な登録手段が設けられていることを要旨とする。
【００１２】
以下、本発明の「作用」について説明する。
請求項１に記載の発明によると、携帯機は、リクエスト信号の出力領域に入ると、送受信装置に対して自動的に送信信号を送信する。そして、送受信装置は、その送信信号に含まれるＩＤコードと、予め設定されたＩＤコードとを比較し、それらＩＤコード同士が一致したときにドア錠を解錠する。このため、携帯機の所有者は、ドアに近づくだけで、一切の操作を行うことなくドア錠を解錠することができる。よって、セキュリティを向上させるとともに、ドア錠の解錠操作を容易に行うことができる。
しかも、車両用のドア錠を施解錠可能とする携帯機によっても建物用のドア錠を施解錠可能である。このため、車両用の携帯機と建物用の携帯機とを両方所持する必要がなく、煩わしさを解消することができる。
さらに、建物用ドアの屋内側面または屋内側におけるドアの近辺には、車両用ドア錠の施解錠を可能とする車両用携帯機によって建物用ドア錠の施解錠を可能とするか否かを選択可能な選択手段が設けられている。このため、選択手段によって車両用携帯機による建物用ドア錠の施解錠を不能とすれば、車両を貸したり修理したりするなどして該車両用携帯機を他人に渡した場合においても、建物のセキュリティが保持される。
【００１３】
請求項２に記載の発明によると、ドア錠が解錠された後、受信手段が携帯機からの送信信号を受信できなくなったときには、ドアロック制御手段によってドア錠が自動的に施錠される。このため、所有者は、一切の操作を行うことなくドア錠を施錠することができる。また、所有者がドアの近辺にいるときにはドア錠は解錠された状態を維持するため、所有者の意志に反してドア錠が施錠されてしまうことはない。しかも、所有者がドアから離れているときには、ドア錠を確実に施錠した状態とすることができ、セキュリティを損なうこともない。
【００１５】
請求項４に記載の発明によると、建物用ドアの屋内側面または屋内側におけるドアの近辺には、登録手段が設けられている。このため、登録手段によって、車両用の携帯機に含まれるＩＤコードを建物用の送受信装置に登録すれば、その携帯機によっても建物用ドア錠の施解錠が可能となる。
【００１７】
【発明の実施の形態】
以下、本発明を住宅用ドア錠の遠隔操作装置に具体化した一実施形態を図１〜図４に基づき詳細に説明する。
【００１８】
図１に示すように、遠隔操作装置１は、住宅２の所有者（家人）に所持される携帯機１１と、住宅２のドア３内に配設され、携帯機１１と相互通信可能な送受信装置１２とを備えている。
【００１９】
図２及び図３に併せ示すように、ドア３には、屋外側に露出する屋外アンテナ部４と、屋内側に露出する屋内アンテナ部５が配設されている。これらアンテナ部４，５には、それぞれＬＥＤ等からなる表示部６が形成されている。
【００２０】
屋外アンテナ部４の内部には、図４に示す送信アンテナ４ａと受信アンテナ４ｂとが配設されている。また、屋内アンテナ部５の内部には図４に示す送信アンテナ５ａと受信アンテナ５ｂとが配設されている。
【００２１】
なお、本実施形態において、送信アンテナ４ａ，５ａは１３４ｋＨｚの電波を送信可能に設定され、受信アンテナ４ｂ，５ｂは３００ＭＨｚの電波を受信可能に設定されている。
【００２２】
さらに、ドア３には２つのドア錠７，８が形成されており、同ドア３の屋内側面には、これらドア錠７，８を手動で施解錠可能な手動ロック機構７ａ，８ａが形成されている。これら手動ロック機構７ａ，８ａは、一般的な屋内側施解錠用つまみである。よって、これら手動ロック機構７ａ，８ａを手動で操作することによってドア錠７，８を手動で施解錠することができる。
【００２３】
図４に示すように、携帯機１１は、受信回路１３、マイクロコンピュータ（マイコン）１４、送信手段としての送信回路１５、及び手動操作手段としての入力回路１６を備えている。
【００２４】
受信回路１３は、送受信装置１２からのリクエスト信号を受信して、その信号をマイコン１４に入力するための回路である。
マイコン１４は、受信回路１３からのリクエスト信号が入力されたときに、予め設定された所定のＩＤコードを含む送信信号（ＩＤコード信号）を出力するための回路である。
【００２５】
送信回路１５は、ＩＤコード信号を所定周波数の電波に変調して外部に送信するための回路である。
受信回路１３には受信アンテナ１７ａが接続され、送信回路１５には送信アンテナ１７ｂが接続されている。なお、本実施形態におけるＩＤコード信号の周波数は３００ＭＨｚに設定されている。よって、受信アンテナ１７ａは１３４ｋＨｚの電波を受信可能に設定され、アンテナ１７ｂは３００ＭＨｚの電波を送信可能に設定されている。
【００２６】
入力回路１６は、操作キー等からなり、家人のキー操作によって入力された操作信号をマイコン１４に入力するための回路である。
一方、図４に示すように、送受信装置１２は、リクエスト信号出力手段としての送信回路２１、受信回路２２、及びドアロック制御手段としてのマイクロコンピュータ（マイコン）２３を備えている。
【００２７】
送信回路２１には前記送信アンテナ４ａ，５ａが接続され、受信回路２２には前記受信アンテナ４ｂ，５ｂが接続されている。
送信回路２１は、マイコン２３から出力されるリクエスト信号を所定周波数の電波に変換し、送信アンテナ４ａ，５ａを介して出力するための回路である。したがって、図３に示すように、リクエスト信号は、送信アンテナ４ａを介して屋外側におけるドア３の周辺の所定領域Ａ１に出力されるとともに、送信アンテナ５ａを介して屋内側におけるドア３の周辺の所定領域Ａ２に出力される。すなわち、これらの所定領域Ａ１，Ａ２において携帯機１１と送受信装置１２との相互通信が可能となる。なお、本実施形態におけるリクエスト信号の周波数は、１３４ｋＨｚに設定されている。
【００２８】
携帯機１１から出力されたＩＤコード信号は、受信アンテナ４ｂ，５ｂを介して受信回路２２によって受信される。この受信回路２２は、そのＩＤコード信号をパルス信号に復調して受信信号を生成するとともに、その受信信号をマイコン２３へ出力するための回路である。
【００２９】
マイコン２３には、表示部６及びドア錠７，８が電気的に接続されている。このマイコン２３は、具体的には図示しないＣＰＵ、ＲＯＭ、ＲＡＭからなるＣＰＵユニットであり、リクエスト信号を間欠的に出力するようになっている。また、マイコン２３には予め設定された所定のＩＤコードが記録されており、前記受信信号が入力されたときには、自身のＩＤコードと受信信号に含まれるＩＤコードとの比較（ＩＤコードの照合）を行う。そして、それらＩＤコードが一致したときに、マイコン２３は、ドア錠７，８に対して駆動信号を出力する。
【００３０】
次に、このように構成された遠隔操作装置１によるドア錠７，８の基本的な施解錠動作について説明する。
遠隔操作装置１の動作時には、まず、送受信装置１２の送信アンテナ４ａ，５ａから所定領域Ａ１，Ａ２に対して、リクエスト信号が間欠的に出力される。このリクエスト信号は、遠隔操作装置１の動作中、常時出力される。
【００３１】
携帯機１１は、所定領域Ａ１，Ａ２内に入ってリクエスト信号を受信すると、このリクエスト信号に応答してＩＤコード信号を自動送信する。すなわち、携帯機１１を所持する家人がドア３に近づいたときに、携帯機１１からＩＤコード信号が自動送信される。携帯機１１は、通常、リクエスト信号を受信するためのスタンバイモードとなっており、該リクエスト信号の受信時にのみＩＤコード信号を送信するようになっている。
【００３２】
送受信装置１２は、ＩＤコード信号を受信すると、そのＩＤコード信号に含まれるＩＤコードを、自身に予め記録されたＩＤコードと比較する。そして、それらＩＤコード同士が一致したときには、ドア錠７，８に対して駆動信号を出力して、ドア錠７，８を解錠させる。このため、ドア錠７，８は、家人がドア３に近づくだけで自動的に解錠される。すなわち、家人は、ドア錠７，８を解錠するための操作を一切行う必要がない。
【００３３】
一方、ドア錠の解錠後、携帯機１１が所定領域Ａ１，Ａ２から離間したときには、携帯機１１は、リクエスト信号を受信できなくなるため、ＩＤコード信号を送信しなくなる。すなわち、送受信装置１２はＩＤコード信号を受信できなくなる。この場合、マイコン２３は、携帯機１１がドア３から離れたものと判断して、ドア錠７，８に対して駆動信号を出力し、ドア錠７，８を施錠させる。よって、ドア錠７，８は、家人がドア３から離間するだけで自動的に施錠される。すなわち、家人は、ドア錠７，８を施錠するための操作を一切行う必要がない。
【００３４】
したがって、こうした遠隔操作装置１によれば、ドア錠７，８を一切の操作を行うことなく施解錠することができる。また、マイコン２３は、ドア錠７，８の解錠時及び施錠時に、前記表示部６に対して信号を出力し、同表示部６によって解錠または施錠されたことを表示させる。なお、本実施形態において表示部６は、色の異なる２つのＬＥＤからなり、ドア錠７，８の解錠時には一方のＬＥＤが点灯され、ドア錠７，８の施錠時には他方のＬＥＤが点灯されるようになっている。
【００３５】
また、入力回路１６の動作時には、携帯機１１から送受信装置１２に手動操作信号が送信される。この手動操作信号には、ドア錠７，８を優先的に解錠または施錠するための信号が含まれている。そして、送受信装置１２は、この手動操作信号を受信すると、ドア錠７，８を優先的に解錠または施錠させる。このため、入力回路１６を構成する操作キーによって解錠の操作がなされたときには、たとえ携帯機１１が所定領域Ａ１，Ａ２外にあったとしても、ドア錠７，８は解錠される。そして、施錠の操作がなされたときには、たとえ携帯機１１が所定領域Ａ１，Ａ２内にあったとしても、ドア錠７，８は施錠される。
【００３６】
ところで、図１に示すように、車両９には、車両用送受信装置４１が配設されている。この車両用送受信装置４１は、対応する車両用携帯機４２と相互通信可能となっており、これら送受信装置４１及び携帯機４２によって車両用遠隔操作装置４０が構成されている。
【００３７】
図４に示すように、車両用送受信装置４１は、前記送受信装置１２と同等の構成をなしている。すなわち、同送受信装置４１は、リクエスト信号出力手段としての送信回路４３、受信手段としての受信回路４４、及びドアロック制御手段としてのマイクロコンピュータ（マイコン）４５を備えている。送信回路４３には車両内に配設された送信アンテナ４６ａが接続され、受信回路４４には同じく車両内に配設された受信アンテナ４６ｂが接続されている。そして、両回路４３，４４は、前記住宅用送受信装置１２の送信回路２１及び受信回路２２と同様に動作するようになっている。したがって、送信回路４３からは、送受信装置１２から出力されるリクエスト信号と同じ周波数のリクエスト信号が出力される。
【００３８】
また、マイコン４５も前記送受信装置１２のマイコン２３と同等の構成をなしており、このマイコン４５には車両ドア錠９ａが電気的に接続されている。マイコン４５には、前記ＩＤコードとは異なる車両用ＩＤコードが予め記録されており、前記受信信号が入力されたときには、自身のＩＤコードと受信信号に含まれるＩＤコードとを比較する。そして、それらＩＤコードが一致したときに、マイコン４５は、車両ドア錠９ａに対して駆動信号を出力する。
【００３９】
車両用携帯機４２は、前記携帯機１１と同等の構成をなしており、受信回路４７、マイコン４８、送信回路４９、入力回路５０を備えている。受信回路４７には受信アンテナ５１ａが接続され、送信回路４９には送信アンテナ５１ｂが接続されている。そして、両回路４７，４９は、前記携帯機１１の受信回路１３及び送信回路１５と同様に動作するようになっている。したがって、送信回路４９からは、携帯機１１から出力されるＩＤコード信号と同じ周波数のＩＤコード信号が出力される。また、マイコン４８には、車両用送受信装置４１のマイコン４５に記憶された車両用ＩＤコードと同じＩＤコードが予め記憶されている。よって、その車両用ＩＤコードがＩＤコード信号として送信回路４９から出力されるようになっている。
【００４０】
したがって、この車両用遠隔操作装置４０においては、車両用携帯機４２の所有者が車両９に近づき、携帯機４２と送受信装置４１との相互通信が行われると、車両ドア錠９ａが解錠されるようになっている。また、携帯機４２の所有者が車両９から離間して携帯機４２と送受信装置４１との相互通信が不能となると、車両ドア錠９ａが施錠されるようになっている。すなわち、車両ドア錠９ａの施解錠が自動的に行われ、所有者は、車両ドア錠９ａを施解錠するための操作を一切行う必要がない。
【００４１】
ところで、図２及び図３に示すように、住宅２のドア３の屋内側面の近辺には操作パネル２６が配設されており、同操作パネル２６は送受信装置１２に接続されている。また、操作パネル２６は住宅２内の電源（ＡＣ１００Ｖ）に接続されており、この操作パネル２６を介して送受信装置１２に電力が供給されている。
【００４２】
操作パネル２６には、登録手段としての２つの登録スイッチ３３，３４と、選択手段としての切換スイッチ３５とが形成されている。そして、図４に示すように、これらスイッチ３３〜３５はマイコン２３に接続されている。両登録スイッチ３３，３４は、任意のＩＤコードをマイコン２３に記憶させるためのスイッチである。また、切換スイッチ３５は、登録スイッチ３４によってＩＤコードを無効化するか否かを切換可能なスイッチである。このため、所定のＩＤコードを登録スイッチ３３，３４によってマイコン２３に記憶させることにより、そのＩＤコードによってドア錠７，８を施解錠させることができるようになる。すなわち、前記マイコン２３に記憶されたＩＤコードは、携帯機１１に含まれるＩＤコードが登録スイッチ３３，３４によって記憶されたものである。
【００４３】
したがって、送受信装置１２と相互通信可能な携帯機であれば、異なるＩＤコードを有する携帯機であっても送受信装置１２を駆動させることができる。このため、車両用携帯機４２においても、登録スイッチ３３，３４によって車両用ＩＤコードをマイコン２３に記憶させることにより、住宅２のドア錠７，８を解錠可能となる。つまり、車両用携帯機４２を、住宅用携帯機としても用いることができる。
【００４４】
ところで、車両９の修理時や車検時等には、車両用携帯機４２を他人に預ける必要がある。また、車両９の売却時には同携帯機４２を購入者に手渡す必要がある。こうした場合に、車両用携帯機４２によっても住宅用送受信装置１２を駆動可能とすると、セキュリティが低下してしまう。そこで、車両用携帯機４２のＩＤコードを登録スイッチ３４によって登録し、切換スイッチ３５によって携帯機４２のＩＤコードを無効化すれば、携帯機４２によるドア錠７，８の施解錠を不能とすることができる。したがって、こうしたセキュリティの低下を防止することができる。また、住宅用携帯機１１のＩＤコードを登録スイッチ３３によって登録すれば、切換スイッチ３５の動作状態にかかわらず、携帯機１１によるドア錠７，８の施解錠を行うことができる。よって、住宅用ドア錠７，８の施解錠動作の性能を損なうこともない。
【００４５】
したがって、本実施形態によれば以下のような効果を得ることができる。
（１）住宅用送受信装置１２からは、ドア３の周辺の所定領域Ａ１，Ａ２に対してリクエスト信号が出力されており、住宅用携帯機１１は、この出力領域Ａ１，Ａ２に入ると、リクエスト信号に応答してＩＤコード信号を自動的に送信する。送受信装置１２は、そのＩＤコード信号を受信すると、ＩＤコード信号に含まれるＩＤコードと、予め設定されたＩＤコードとを比較する。そして、それらＩＤコード同士が一致したときには、ドア錠７，８を解錠させる。このため、携帯機１１の所有者（家人）は、ドア３に近づくだけで、一切の操作を行うことなくドア錠７，８を解錠することができる。よって、ドア錠７，８の解錠操作を容易に行うことができる。
【００４６】
（２）また、ドア錠７，８が解錠された後、送受信装置１２が携帯機１１からのＩＤコード信号を受信できなくなったときには、ドア錠７，８が自動的に施錠される。このため、家人は、一切の操作を行うことなくドア錠７，８を施錠することができる。よって、施錠忘れを確実に防止することができ、セキュリティを向上させることができる。
【００４７】
ちなみに、本方式以外の方式、例えばドア３が閉じられることによって自動的にドア錠７，８が施錠される方式（オートロック方式）を採用しても、一切の操作を行うことなくドア錠７，８を施錠することができる。しかし、こうしたオートロック方式によれば、家人の意志に反してドア３が閉じてしまったときにおいてもドア錠７，８が施錠されてしまい、使い勝手が悪い。これに対して、本実施形態の遠隔操作装置１では、家人がドア３の近辺にいるときにはドア３は解錠された状態が維持される。このため、家人の意志に反してドア錠７，８が施錠されてしまうことはなく、使い勝手がよい。
【００４８】
しかも、家人がドア３から離れているときには、ドア錠７，８を確実に施錠した状態とすることができ、セキュリティを損なうこともない。
（３）車両９内にも車両用送受信装置４１が設けられているため、住宅用のドア錠７，８に加えて、車両ドア錠９ａも自動的に施解錠させることができる。しかも、車両用携帯機４２によっても住宅用のドア錠７，８を施解錠可能とすることができるため、車両９の所有者は車両用携帯機４２だけを所持すればよい。すなわち、住宅用携帯機１１と車両用携帯機４２とを両方所持する必要がない。よって、所有者の煩わしさを解消することができる。
【００４９】
（４）住宅２のドア３の屋内側面または屋内側におけるドア３の近辺には、操作パネル２６が設けられている。そして、その操作パネル２６には登録スイッチ３３，３４が設けられている。このため、これら登録スイッチ３３，３４によって、車両用携帯機４２に含まれる車両用ＩＤコードを住宅用送受信装置１２に登録することができる。このようにすれば、その携帯機４２によっても住宅用ドア錠７，８を施解錠させることができる。したがって、いかなるＩＤコードを有する車両用携帯機４２であっても、そのＩＤコードを住宅用送受信装置１２に記憶させることができ、住宅用ドア錠７，８を容易かつ確実に施解錠させることができる。
【００５０】
（５）住宅用送受信装置１２には、車両用携帯機４２に限らず、スペアキーとしての新規の携帯機１１であっても、そのＩＤコードを登録させることができる。よって、ドア錠７，８を施解錠可能な携帯機１１を増やすことができ、例えば家族の全員が個別に携帯機１１を所持することができる。
【００５１】
（６）操作パネル２６には、登録スイッチ３４によって登録されたＩＤコードを無効化するか否かを選択可能な切換スイッチ３５が設けられている。このため、登録スイッチ３４によって車両用携帯機４２のＩＤコードを登録すれば、そのＩＤコードを無効化することにより、その携帯機４２を他人に渡したときでもセキュリティを保持することができる。よって、車両用携帯機４２のＩＤコードを一旦削除したり、再登録するなどの煩雑な作業を行うことなくセキュリティを保持することができる。
【００５２】
また、住宅用携帯機１１のＩＤコードを登録スイッチ３３によって登録すれば、切換スイッチ３５によって車両用携帯機４２のＩＤコードを無効化しても、住宅用携帯機１１によるドア錠７，８の施解錠は可能となる。よって、住宅用ドア錠７，８の施解錠動作の性能を損なうこともない。
【００５３】
（７）ドア錠７，８が施錠された際には、表示部６を点灯させることによって施解錠状態が告知される。このため、家人は、ドア３から離れていてもドア錠７，８が施錠状態または解錠状態にあることを確実に認識することができる。
【００５４】
（８）表示部６は、ドア錠７，８の施錠時から所定時間のみ点灯するようになっている。このため、第三者がドアの施解錠状態を容易に認識してしまうといった不都合を解消することができ、セキュリティの低下を防止することができる。
【００５５】
（９）携帯機１１，４２に設けられた操作キーを操作することによって入力回路１６，５０を作動させた際には、ドア錠７，８は優先的に施解錠される。このため、家人は、リクエスト信号の出力領域Ａ１，Ａ２外にいてもドア錠７，８を解錠することができる。また、家人は、該出力領域Ａ１，Ａ２内にいてもドア錠７，８を施錠することができる。よって、家人の意志に基づいた施解錠を確実に行うことができ、住宅用遠隔操作装置１の操作性を向上させることができる。
【００５６】
（１０）ドア３の屋内側面には手動ロック機構７ａ，８ａが設けられているため、この手動ロック機構７ａ，８ａを操作することによって、手動でドア錠７，８を施解錠することができる。よって、家人の意志に基づいた施解錠を確実に行うことができ、住宅用遠隔操作装置１の操作性を向上させることができる。
【００５７】
なお、本発明の実施形態は以下のように変更してもよい。
・  住宅用送受信装置１２は、ドア３内に限らず、ドア３の近辺に配設されてもよい。
【００５８】
・  前記各携帯機１１，４２には、それぞれ入力回路１６，５０が設けられている。しかし、これら入力回路１６，５０を省略してもよい。
・  前記実施形態において操作パネル２６は、ドア３の屋内側面の近辺に配設されている。しかし、この操作パネル２６を、ドア３の屋内側面に配設してもよい。このようにすれば、ドア３の製造時に送受信装置１２、アンテナ２４，２５、ドア錠７，８、及び操作パネル２６を全て組み付けることができ、施工性を向上させることができる。また、メンテナンス性も向上させることができる。
【００５９】
・  切換スイッチ３５を省略してもよい。但し、この場合には、車両用携帯機４２を他人に預ける必要などがある際に、そのＩＤコードを一旦削除することが望ましい。
【００６０】
・  登録スイッチ３３，３４を１つとしてもよい。そして、切換スイッチ３５によってその登録スイッチを無効化できるようにしてもよい。但し、この場合には、住宅用携帯機１１のＩＤコードが、送受信装置１２のマイコン２３に予め記憶されていることが望ましい。このようにしても、車両用携帯機４２のＩＤコードを住宅用送受信装置１２に記憶させることができ、同携帯機４２によるドア錠７，８の施解錠を行うことができる。
【００６１】
・  前記実施形態では、アンテナ２４，２５に設けられた表示部６として、ＬＥＤを用いている。しかし、このＬＥＤをブザーなどに変更してもよい。また、表示部６を省略してもよい。
【００６２】
・  前記実施形態では、リクエスト信号を電波として出力している。しかし、リクエスト信号は、所定領域Ａ１，Ａ２に出力される磁界であってもよい。
・  遠隔操作装置１を、住宅用に限らず、店舗や事務所等の建物用ドア錠の遠隔操作装置として具体化してもよい。
【００６３】
次に、特許請求の範囲に記載された技術的思想のほかに、前述した実施形態によって把握される技術的思想をその効果とともに以下に列挙する。
（１）  請求項１または請求項２に記載の建物用ドア錠の遠隔操作装置において、前記建物用ドアの屋内側面または屋内側におけるドアの近辺には、前記携帯機から出力される送信信号に含まれるＩＤコードを、建物用ドア錠の施解錠を可能とするものとして登録可能な登録手段が設けられていること。この技術的思想（１）に記載の発明によれば、種々のＩＤコードを有する新規の携帯機によっても送受信装置を駆動することができる。
【００６４】
（２）  技術的思想（１）に記載の建物用ドア錠の遠隔操作装置において、前記建物用ドアの屋内側面または屋内側におけるドアの近辺には、特定の携帯機と前記送受信装置との相互通信を可能とするか否かを選択可能な選択手段が設けられていること。この技術的思想（２）に記載の発明によれば、たとえ携帯機を失ったとしても、その携帯機による施解錠を不能とすることができる。よって、セキュリティを保持することができる。
【００６５】
（３）  請求項１〜３、技術的思想（１），（２）のいずれか１項に記載の建物用ドア錠の遠隔操作装置において、前記ドアまたはドアの近辺には、前記ドア錠の施錠状態及び解錠状態のうちの少なくとも一方の状態を告知する告知手段が設けられていること。この技術的思想（３）に記載の発明によれば、ドアから離れていても該ドア錠の施解錠状態を確実に認識することができる。
【００６６】
【発明の効果】
以上詳述したように、請求項１〜４に記載の発明によれば、一切の操作を行うことなくドア錠を解錠することができる。よって、セキュリティを向上させるとともに、ドア錠の解錠操作を容易に行うことができる。
【００６７】
また、一切の操作を行うことなくドア錠を施錠することができるとともに、一つのキーによって建物用のドア錠と車両用のドア錠とを共に施解錠することができる。
さらには、選択手段によって車両用携帯機による建物用ドア錠の施解錠を不能とすれば、車両を貸したり修理したりするなどして該車両用携帯機を他人に渡した場合においても、セキュリティを保持することができる。
【００６８】
請求項４に記載の発明によれば、いかなるＩＤコードを有する車両用携帯機であっても、そのＩＤコードを建物用の送受信装置を施解錠可能なＩＤコードとして登録することができる。しかも、そのＩＤコードの登録を容易に行うことができ、建物用ドア錠を容易かつ確実に施解錠させることができる。
【図面の簡単な説明】
【図１】本発明の一実施形態を示す概略構成図。
【図２】同実施形態のドアを示す概略斜視図。
【図３】同実施形態の概略側面図。
【図４】同実施形態の遠隔操作装置の概略構成を示すブロック図。
【符号の説明】
１…住宅用遠隔操作装置、２…住宅、３…ドア、４…屋外アンテナ部、５…屋内アンテナ部、４ａ，５ａ…送信アンテナ、４ｂ、５ｂ…受信アンテナ、６…表示部、７，８…ドア錠、７ａ，８ａ…手動ロック機構、９…車両、９ａ…車両ドア錠、１１…住宅用携帯機、１２…住宅用送受信装置、１３…受信回路、１４…マイコン、１５…送信手段としての送信回路、１６…手動操作手段としての入力回路、２１…リクエスト信号出力手段としての送信回路、２２…受信手段としての受信回路、２３…ドアロック制御手段としてのマイコン、２６…操作パネル、３３，３４…登録手段としての登録スイッチ、３５…選択手段としての切換スイッチ、４０…車両用遠隔操作装置、４１…車両用送受信装置、４２…車両用携帯機。
【図１】
0003922678.tif 000002
【図２】
0003922678.tif 000003
【図３】
0003922678.tif 000004
【図４】
0003922678.tif 000005